【手続補正書】
【提出日】令和3年2月26日(2021.2.26)
【手続補正１】
【補正対象書類名】特許請求の範囲
【補正対象項目名】全文
【補正方法】変更
【補正の内容】
【特許請求の範囲】
【請求項１】
遊技領域に発射された遊技球が該遊技領域内の始動口に入球することに基づいて抽選を行い、該抽選の結果に基づいて図柄を変動表示させる図柄変動遊技を行い、該図柄変動遊技の結果として当り結果が導出された場合に所定の当り遊技を実行する遊技機において、
遊技球を発射可能な発射手段と、
当該遊技機の電源投入に際して第１の操作が行われることに基づいて、前記当り遊技の実行確率に関する設定情報を決定可能な設定決定モードを発生させる設定決定モード発生手段と、
当該遊技機の電源投入に際して第２の操作が行われることに基づいて、前記設定決定モードとは別に前記設定情報を確認可能な設定確認モードを発生させる設定確認モード発生手段と、
を備え、
所定の接触検知部に遊技者が接触していることを条件に前記発射手段が遊技球を発射するものの、前記設定確認モード中には、前記接触検知部に遊技者が接触していたとしても前記発射手段が遊技球を発射しないようにするものであり、
前記設定確認モードが終了したときに、前記設定確認モード中から継続して前記接触検知部に遊技者が接触している場合には、前記設定確認モードが終了したときからの前記接触検知部への接触を有効な接触として前記発射手段が遊技球を発射するものであり、
さらに、遊技に使用した遊技球の数を用いた計算により算出されたベース値を表示可能なベース値表示手段を備え、
前記設定確認モード中は、前記ベース値の計算が行われない
ことを特徴とする遊技機。
【請求項２】
遊技領域に発射された遊技球が該遊技領域内の始動口に入球することに基づいて抽選を行い、該抽選の結果に基づいて図柄を変動表示させる図柄変動遊技を行い、該図柄変動遊技の結果として当り結果が導出された場合に所定の当り遊技を実行する遊技機において、
遊技球を発射可能な発射手段と、
当該遊技機の電源投入に際して第１の操作が行われることに基づいて、前記当り遊技の実行確率に関する設定情報を決定可能な設定決定モードを発生させる設定決定モード発生手段と、
当該遊技機の電源投入に際して第２の操作が行われることに基づいて、前記設定決定モードとは別に前記設定情報を確認可能な設定確認モードを発生させる設定確認モード発生手段と、
を備え、
所定の接触検知部に遊技者が接触していることを条件に前記発射手段が遊技球を発射するものの、前記設定確認モード中には、前記接触検知部に遊技者が接触していたとしても前記発射手段が遊技球を発射しないようにするものであり、
前記設定確認モードが終了したときに、前記設定確認モード中から継続して前記接触検知部に遊技者が接触している場合には、前記設定確認モードが終了したときからの前記接触検知部への接触を無効にして前記発射手段が遊技球を発射しないようにし、新たに前記接触検知部に遊技者が接触し直すことを条件に前記発射手段が遊技球を発射するものであり、
さらに、遊技に使用した遊技球の数を用いた計算により算出されたベース値を表示可能なベース値表示手段を備え、
前記設定確認モード中は、前記ベース値の計算が行われない
ことを特徴とする遊技機。
【手続補正２】
【補正対象書類名】明細書
【補正対象項目名】０００５
【補正方法】変更
【補正の内容】
【０００５】
しかしながら、設定情報を有する従来の遊技機については、利便性に欠けるという問題があった。
【手続補正３】
【補正対象書類名】明細書
【補正対象項目名】０００６
【補正方法】変更
【補正の内容】
【０００６】
そこで、本発明は、上記の実情に鑑み、設定情報を有する遊技機について従来よりも利便性を向上させることを課題とするものである。
【手続補正４】
【補正対象書類名】明細書
【補正対象項目名】０００７
【補正方法】変更
【補正の内容】
【０００７】
上述の目的を達成するための有効な解決手段を以下に示す。なお、必要に応じてその作用等の説明を行う。また、理解の容易のため、発明の実施の形態において対応する構成等についても適宜示すが、何ら限定されるものではない。
上記した目的を達成するために、請求項１に係る発明においては、
遊技領域に発射された遊技球が該遊技領域内の始動口に入球することに基づいて抽選を行い、該抽選の結果に基づいて図柄を変動表示させる図柄変動遊技を行い、該図柄変動遊技の結果として当り結果が導出された場合に所定の当り遊技を実行する遊技機において、
遊技球を発射可能な発射手段と、
当該遊技機の電源投入に際して第１の操作が行われることに基づいて、前記当り遊技の実行確率に関する設定情報を決定可能な設定決定モードを発生させる設定決定モード発生手段と、
当該遊技機の電源投入に際して第２の操作が行われることに基づいて、前記設定決定モードとは別に前記設定情報を確認可能な設定確認モードを発生させる設定確認モード発生手段と、
を備え、
所定の接触検知部に遊技者が接触していることを条件に前記発射手段が遊技球を発射するものの、前記設定確認モード中には、前記接触検知部に遊技者が接触していたとしても前記発射手段が遊技球を発射しないようにするものであり、
前記設定確認モードが終了したときに、前記設定確認モード中から継続して前記接触検知部に遊技者が接触している場合には、前記設定確認モードが終了したときからの前記接触検知部への接触を有効な接触として前記発射手段が遊技球を発射するものであり、
さらに、遊技に使用した遊技球の数を用いた計算により算出されたベース値を表示可能なベース値表示手段を備え、
前記設定確認モード中は、前記ベース値の計算が行われない
ことを特徴とする。
また、請求項２に係る発明においては、
遊技領域に発射された遊技球が該遊技領域内の始動口に入球することに基づいて抽選を行い、該抽選の結果に基づいて図柄を変動表示させる図柄変動遊技を行い、該図柄変動遊技の結果として当り結果が導出された場合に所定の当り遊技を実行する遊技機において、
遊技球を発射可能な発射手段と、
当該遊技機の電源投入に際して第１の操作が行われることに基づいて、前記当り遊技の実行確率に関する設定情報を決定可能な設定決定モードを発生させる設定決定モード発生手段と、
当該遊技機の電源投入に際して第２の操作が行われることに基づいて、前記設定決定モードとは別に前記設定情報を確認可能な設定確認モードを発生させる設定確認モード発生手段と、
を備え、
所定の接触検知部に遊技者が接触していることを条件に前記発射手段が遊技球を発射するものの、前記設定確認モード中には、前記接触検知部に遊技者が接触していたとしても前記発射手段が遊技球を発射しないようにするものであり、
前記設定確認モードが終了したときに、前記設定確認モード中から継続して前記接触検知部に遊技者が接触している場合には、前記設定確認モードが終了したときからの前記接触検知部への接触を無効にして前記発射手段が遊技球を発射しないようにし、新たに前記接触検知部に遊技者が接触し直すことを条件に前記発射手段が遊技球を発射するものであり、
さらに、遊技に使用した遊技球の数を用いた計算により算出されたベース値を表示可能なベース値表示手段を備え、
前記設定確認モード中は、前記ベース値の計算が行われない
ことを特徴とする。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
本発明によれば、設定情報を有する遊技機について従来よりも利便性を向上させることができる。